(57)【要約】【課題】ノブが傾くことなく押動させることができるスイッチ補助装置を提供すること。【解決手段】スイッチの接点を押動させる装置であって、支軸１４を中心として回動動作される一対のアーム１３，１３と、アーム１３に形成されたアームフック１５ａ，１５ｂがそれぞれ係合される一対の長穴１２ａ，１２ｂを有するノブ１１とを備え、一方のアームフック１５ｂが一方の長穴１２ｂの接点寄りの面に当接するとともに他方のアームフック１５ａが他方の長穴１２ａの前記接点から離れた面に当接するように、互いに位置をずらして形成されている。【選択図】  図１
2004327399.tif 000002
【特許請求の範囲】
【請求項１】
支軸を中心として回動動作される一対のアームと、これら各アームの先端部に形成されたアームフックがそれぞれ係合される一対の長穴を有するノブと、を備え、前記ノブを押動して前記アームの回動動作により昇降動作され、前記ノブの押動動作により動作するボスによりスイッチの接点を押動させるスイッチ補助装置において、
前記長穴と前記アームフックとは、前記一方のアームフックが前記一方の長穴の前記接点寄りの面に当接するとともに前記他方のアームフックが前記他方の長穴の前記接点から離れた面に当接するように、互いに位置をずらして形成されていることを特徴とするスイッチ補助装置。
【請求項２】
前記ボスは、前記ノブの一端寄りに形成され、前記ノブの前記ボスに遠い前記長穴の前記接点から離れた面に、前記アームフックが当接されていることを特徴とする請求項１に記載のスイッチ補助装置。
【請求項３】
前記各長穴は、前記ノブの押動方向に対してその位置がずれていることを特徴とする請求項１または請求項２に記載のスイッチ補助装置。
【請求項４】
前記各アームフックは、前記ノブの押動方向に対してその位置がずれていることを特徴とする請求項１または請求項２に記載のスイッチ補助装置。
【発明の詳細な説明】
【０００１】
【発明の属する技術分野】
本発明はスイッチ補助装置に関する。
【０００２】
【従来の技術】
従来から、電気、電子部品におけるスイッチの接点を押動させるためのスイッチ補助装置が用いられている。このようなスイッチ補助装置として、例えば、ゴムなどの弾性材料からなる押圧用突起を押動動作させることにより、この押圧用突起に形成された可動接点を基板に形成された固定接点に接触させるようにしてなるスイッチ補助装置が開発されている（例えば特許文献１参照）。
しかしながら、特許文献１に記載のスイッチ補助装置では、押圧用突起の押圧する位置によっては可動接点が傾いてしまい、固定接点との接触を良好に行うことができなくなるおそれがある。
そのため、従来から、スイッチの押動動作を行うためのノブをスイッチに対して垂直に移動させて、スイッチの押動動作を行うようにしたスイッチ補助装置が開発されている。
【０００３】
図７はこのような従来のスイッチ補助装置を示したものであり、このスイッチ補助装置は、支軸２４を中心として回動動作される一対のアーム２３，２３と、図示しないケースにより支持されて上下動され図示しないスイッチの接点を押動させるためのノブ２１とを有している。アーム２３，２３の先端部には、アームフック２５ａ，２５ｂが形成されており、ノブ２１には、このアームフック２５ａ，２５ｂが係合される長穴２２，２２が形成されている。
そして、ノブ２１に押圧力を加えることにより、ノブ２１がアーム２３，２３の回動動作により昇降動作され、ノブ２１に形成されたボス２６によりスイッチの接点を押動させるようになっている。
【０００４】
【特許文献１】
特開平９−１０６７３３号公報
【０００５】
【発明が解決しようとする課題】
しかしながら、前記従来のスイッチ補助装置においては、長穴２２，２２とアームフック２５ａ，２５ｂとの間にわずかな隙間があることから、ノブ２１の図示していない接点から一番遠い端部（以下端部Ａと称する。）に押圧力を加えた場合であって、ノブ２１とケースとの隙間が広い場合には、ノブ２１が傾いた状態でノブ２１の押動動作が行われてしまう場合がある。
【０００６】
このようにノブ２１が傾いてしまうと、同時にボス２６が傾くため、その傾きが大きいとボス２６の先端部が接点からずれてしまい、スイッチの接点に対して適正に押動力を伝えることができないという問題を有している。
【０００７】
また、接点に対してボス２６がずれない程度の傾きであっても、前記傾きによって、スイッチの接点に押動力を伝えることができるまでのノブ２１の荷重点における沈み量と、ノブ２１の接点の真上から荷重をかけた場合の荷重方向への沈み量が、異なることになるため、ノブ２１のどの位置を押したかによってスイッチの接点に力を伝えるタイミングが異なってしまうという問題がある。
【０００８】
本発明は前記した点に鑑みてなされたものであり、ノブのいずれの位置を押してもノブを傾けることなく押動させることができ、スイッチの接点を押動させるタイミングをほぼ一定にすることのできるスイッチ補助装置を提供することを目的とするものである。
【０００９】
【課題を解決するための手段】
上記課題を解決するため、請求項１に記載のスイッチ補助装置は、支軸を中心として回動動作される一対のアームと、これら各アームの先端部に形成されたアームフックがそれぞれ係合される一対の長穴を有するノブと、を備え、前記ノブを押動して前記アームの回動動作により昇降動作され、前記ノブに形成されたボスによりスイッチの接点を押動させるスイッチ補助装置において、前記長穴と前記アームフックとは、前記一方のアームフックが前記一方の長穴の前記接点寄りの面に当接するとともに前記他方のアームフックが前記他方の長穴の前記接点から離れた面に当接するように、互いに位置をずらして形成されていることを特徴とする。
【００１０】
また、請求項２に記載の発明は、請求項１において、前記ボスは、前記ノブの一端寄りに形成され、前記ノブの前記ボスに遠い前記長穴の前記接点から離れた面に、前記アームフックが当接されていることを特徴とする。
【００１１】
請求項３に記載の発明は、請求項１または請求項２において、前記各長穴は、前記ノブの押動方向に対してその位置がずれていることを特徴とする。
【００１２】
請求項４に記載の発明は、請求項１または請求項２において、前記各アームフックは、前記ノブの押動方向に対してその位置がずれていることを特徴とする。
【００１３】
【発明の実施の形態】
以下、本発明の実施の形態を図１から図６を参照しながら説明する。
【００１４】
図１から図４は本発明に係るスイッチ補助装置の第１の実施形態を示したものであり、図１は本発明の実施形態を表した全体斜視図である。
【００１５】
本実施形態のスイッチ補助装置は、平板状の底板１７を有しており、この底板１７には、長尺状の支軸１４の両端部が一対の軸受１８により回動自在に支持されている。この支軸１４の両端部分には、この支軸１４の軸方向に垂直な方向に延在する２つのアーム１３、１３が互いに平行に設けられており、これら各アーム１３，１３の先端部外側面には、図２、図３に示すように、円柱形状のアームフック１５ａ，１５ｂがその軸が支軸１４の軸方向と平行になるように突設されている。
【００１６】
また、本実施形態のスイッチ補助装置は、図示しないスイッチの接点を押動させるためのノブ１１を有しており、このノブ１１の下面側には、ほぼ四角枠形状を有する基部１９が設けられている。この基部１９は、図示しないケースに支持されており、基部１９はケースに案内されながら、前記底板１７に対してほぼ垂直な方向に上下動可能とされている。ノブ１１の裏面側であってノブ１１の一端側寄りには、スイッチの接点の押動動作を行うための円柱形状を有するボス１６が突出形成されている。
【００１７】
また、基部１９の一側面には、各アーム１３、１３の先端部分を受け入れるための切欠き溝２０が形成されており、基部１９の両端面には、アーム１３，１３のアームフック１５ａ，１５ｂが係合される長穴１２ａ，１２ｂがそれぞれ形成されている。
これら各長穴１２ａ，１２ｂは、短方向の長さ寸法がアームフック１５ａ，１５ｂの直径よりわずかに大きく形成されており、図４に示すように、これら各長穴１２ａ，１２ｂは、ボス１６に近い側の長穴１２ｂの下面側にアームフック１５ｂが当接するとともに、ボス１６から遠い側の長穴１２ａの上面側にアームフック１５ａが当接するように、上下位置をずらして形成されている。
【００１８】
次に、本実施形態の動作について説明する。
まず、初期状態において、ノブ１１は、スイッチの接点に当接されたボス１６およびボス１６から遠い側の長穴１２ａの上面側に当接されたアームフック１５ａにより、平衡な状態に保持されている。
【００１９】
この初期状態から、ノブ１１を下方に押動させると、アームフック１５ａ，１５ｂが長穴１２ａ，１２ｂの内部を長手方向に沿って移動しながらアーム１３，１３が回動され、ノブ１１は、その基部１９がケースによってほぼ垂直方向に案内されて下降される。このノブ１１の下降動作により、ボス１６がスイッチの接点を押動する。
そして、ノブ１１に対する押動動作を解除すると、スイッチに内蔵されたばね等によるスイッチの接点の復帰力により、ノブ１１が上昇するとともに、アームフック１５ａ，１５ｂが長穴１２ａ，１２ｂの内側を移動しながらアーム１３，１３が上方に回動され、ノブ１１は元の初期状態に戻される。
【００２０】
このとき、アームフック１５ａは長穴１２ａのノブ１１に近い面と当接しており、同時にアームフック１５ｂは長穴１２ｂのノブ１１から遠い面と当接しているため、ボス１６から遠い側のノブ１１の端部に荷重をかけた場合、ノブ１１がアームフック１５ａを支点に傾くことがなく、ノブ１１に力を加えると同時にノブ１１が底板１７に対してほぼ平行に下降されることになる。
【００２１】
以上より、本実施形態によれば、アームフック１５ａは長穴１２ａのノブ１１に近い面と当接しており、同時にアームフック５ｂは長穴２ｂのノブ１１から遠い面と当接しているため、ボス１６が接点からずれることなく、ボス１６から遠い側のノブ１１の端部に荷重をかけた場合であってもノブ１１は傾くことなく底板１７に対してほぼ平行に下降される。さらにノブ１１のどの位置を押したとしても、スイッチの接点に力を伝えるタイミングをほぼ均一にすることができる。
【００２２】
次に、本発明の第２の実施形態を図５、図６を参照しながら説明する。
本実施形態では、基部の一側面に形成されたアームのアームフック１５ａ，１５ｂが係合される長穴を基部の両端面において、同じ位置に形成しておき、支軸１４に図５、図６に示す支軸１４の軸方向と垂直で、ボスに近い側の長穴の下面側にアームフック１５ｂが当接するとともに、ボスから遠い側の長穴の上面側にアームフック１５ａが当接するように、各アームの設置角度をずらしたアーム１３，１３を設けている。その他のノブ、アームの支軸等の構成は前記第一実施形態と同様であるため、その説明を省略する。
【００２３】
本実施形態の動作について説明する。
まず、初期状態において、ノブは、スイッチの接点に当接されたボスおよびボスから遠い側の長穴の上面側に当接されたアームフック１５ａにより、平衡な状態に保持されている。
この初期状態から、ノブを下方に押動させると、ノブは、その基部がケースによってほぼ垂直方向に案内されて下降され、このノブの下降動作により、ボスがスイッチの接点を押動する。
そして、ノブに対する押動動作を解除すると、スイッチに内蔵されたばね等による接点の復帰力により、ノブは元の初期状態に戻される。
【００２４】
このとき、アームフック１５ａは長穴のノブに近い面と当接しており、同時にアームフック１５ｂは長穴のノブから遠い面と当接しているため、ボスから遠い側のノブの端部に荷重をかけた場合であっても、ノブがアームフック１５ａを支点に傾くことがなく、ノブに力を加えると同時にノブが底板に対してほぼ平行に下降されることになる。
【００２５】
以上より、本実施形態によれば、アームフック１５ａは長穴のノブに近い面と当接しており、同時にアームフック１５ｂは長穴のノブから遠い面と当接しているため、ボスが接点からずれることなく、ボスから遠い側のノブの端部に荷重をかけた場合であってもノブは傾くことなく底板に対してほぼ平行に下降される。さらにノブのどの位置を押したとしても、スイッチの接点に力を伝えるタイミングをほぼ均一にすることができる。
なお、第１及び第２実施形態では、ノブに対してボスを取り付けた場合について説明したが、ノブの押動動作により動作する、例えばアームや他の部材等にボスを取り付けても、第１及び第２実施形態と同様な作用効果を得ることができる。
【００２６】
【発明の効果】
本発明によれば、一方のアームフックが一方の長穴の接点寄りの面に当接させるとともに、他方のアームフックが他方の長穴の接点から離れた面に当接させるので、他方の長穴を有するノブの端部に荷重を加えても、相互のアームフックが各長穴に当接するので、ノブが傾くことを防止することができ、さらにノブのどの位置を押したとしても、スイッチの接点に力を伝えるタイミングをほぼ均一にすることができる。
【図面の簡単な説明】
【図１】本発明に係るスイッチ補助装置の第一実施形態を示す斜視図である。
【図２】第一実施形態におけるスイッチ補助装置のアーム部材の側面図である。
【図３】第一実施形態におけるスイッチ補助装置のアーム部材の平面図である。
【図４】第一実施形態におけるスイッチ補助装置の初期状態時の断面図である。
【図５】第二実施形態におけるスイッチ補助装置のアーム部材の側面図である。
【図６】第二実施形態におけるスイッチ補助装置のアーム部材の平面図である。
【図７】従来例を示す斜視図である。
【符号の説明】
１１  ノブ
１２ａ、１２ｂ  長穴
１３  アーム
１４  支軸
１５ａ、１５ｂ  アームフック
１６  ボス
１７  底板
１８  軸受
１９  基部
２０  切欠き溝
【図１】
2004327399.tif 000003
【図２】
2004327399.tif 000004
【図３】
2004327399.tif 000005
【図４】
2004327399.tif 000006
【図５】
2004327399.tif 000007
【図６】
2004327399.tif 000008
【図７】
2004327399.tif 000009